(57)【特許請求の範囲】
【請求項１】
高所作業用安全帯のランヤードであって、
ストラップと、
前記ストラップの基端に取り付けられた、前記高所作業用安全帯の胴ベルトへの連結のための連結金具と、
前記ストラップの先端に取り付けられた、固定用構造物への係止のためのフックと、を備えたものにおいて、
前記ストラップは、
長尺の弾性部材と、
前記弾性部材の片面または両面側に配置された長尺の補助ベルトと、
筒状をなし、前記弾性部材および前記補助ベルトの全体を被覆する被覆部材と、を有し、
前記補助ベルトは作業者墜落時の衝撃荷重に耐えうる強度を有し、前記補助ベルトの長さは前記弾性部材の自然長よりも長く、前記被覆部材は前記補助ベルトと等しいかまたはそれ以上の長さを有し、前記弾性部材が前記補助ベルトの長さまで伸張した状態で、前記弾性部材および前記補助ベルトおよび前記被覆部材のそれぞれの一端が、互いに接合されるとともに前記連結金具に連結され、前記弾性部材および前記補助ベルトおよび前記被覆部材のそれぞれの他端が、互いに接合されるとともに前記フックに連結され、それによって、前記ストラップは、前記弾性部材が自然長となるとともに、前記補助ベルトが波打った状態となる位置と、前記弾性部材が、前記補助ベルトが緊張状態となるまで伸びる位置との間で伸縮するものであることを特徴とするランヤード。
【請求項２】
前記弾性部材が、長さ方向に伸縮自在なベルト状織物またはゴムベルトであることを特徴とする請求項１に記載のランヤード。
【請求項３】
前記補助ベルトが、高強度の合成繊維糸によって製織された長尺の平織物からなり、前記被覆部材が、高強度の合成繊維糸によって製織された長尺の平袋織物からなっていることを特徴とする請求項１または請求項２に記載のランヤード。
【発明の詳細な説明】
【技術分野】
【０００１】
本発明は、高所作業現場において作業者の墜落防止のために使用される高所作業用安全帯のランヤードに関するものである。
【背景技術】
【０００２】
高所作業用安全帯は、一般に、作業者に装着される胴ベルトと、胴ベルトに備えられたランヤードとから構成されている。
そして、ランヤードは、通常、ストラップ（またはロープ）と、ストラップの基端に取り付けられた胴ベルト（または胴ベルトのＤ環）との連結用の連結金具と、ストラップの先端に取り付けられた固定用構造物への係止用のフックとを備えており、必要に応じて、ショックアブソーバーを備えていることもある。
【０００３】
また、ランヤードには、ストラップを巻き取る巻取器を備えた巻取式のランヤードと、巻取器を備えていない非巻取式のランヤードの２種類があり、作業者の移動時にストラップが引っ掛かりやすい構造物がない場合には、後者が使用されることが多い。
【０００４】
ところで、非巻取式ランヤードにおいては、ストラップが長くなると、作業者が移動できる範囲が広がり、フックを頻繁に掛けかえる必要がなくなる一方で、フックに近い場所で作業がなされる間は、垂れ下がったストラップが、作業者の移動を妨げたり、構造物に引っ掛かったりして作業に支障をきたす場合がある。
また、ストラップが短すぎると、フックの掛けかえ頻度が増えて作業効率が低下する。
【０００５】
そして、このような非巻取式ランヤードの欠点を解消するため、従来技術において、ストラップを伸縮自在としたランヤードが提案されている（例えば、特許文献１、２参照）。
この種のランヤードにおいては、ストラップは、長尺筒状の低伸度（または非伸縮性）袋ベルトの内部に長さが袋ベルトよりも短い長尺弾性体を挿入し、長尺弾性体を自然長から伸張させた状態で袋ベルトと長尺弾性体とを縫着したものからなっている。
【０００６】
そして、ストラップは、長尺弾性体が自然長であって、袋ベルトの表裏面が均等に波状となり蛇腹構造を形成する位置と、長尺弾性体が、袋ベルトが最大長まで伸びて蛇腹構造が消滅するまで伸張する位置との間で伸縮する。
【０００７】
この従来のランヤードにおいては、ストラップの長尺弾性体は専らストラップに伸縮性を付与するために使用され、袋ベルトが作業者の墜落時に作業者を吊下げ状態に支持する機能を有している。そのため、袋ベルトは、墜落時の衝撃荷重に耐えうるべく、法定の基準値以上の強度を有していなければならない
【０００８】
ところで、袋ベルトは長尺弾性体の外面を覆って保護する保護部材としても機能しているので、外部環境に直接さらされ、摩耗や紫外線による劣化等が生じやすい。そして、袋ベルトの摩耗や劣化が一定程度以上に進んだ状態で作業者の墜落が生じると、袋ベルトが破断し、作業者を保護できなくなるおそれがある。
【０００９】
したがって、袋ベルトの摩耗や劣化の状況を見ながら、適宜袋ベルトを交換する必要がある。しかし、袋ベルトの摩耗や劣化の程度と強度との相関関係は複雑であるから、袋ベルトの交換時期の判断が容易ではなく、そのため、袋ベルトがまだ十分な強度を有している段階でベルト交換をしなければならない。
さらには、ストラップが蛇腹構造を有しているので、袋ベルトにおける蛇腹構造の山を形成する部分が摩耗および劣化しやすく、袋ベルトにおける蛇腹構造の谷を形成する部分の摩耗や劣化は見落としがちになる。
【００１０】
すなわち、この従来のランヤードは、安全面でやや問題があり、しかも頻繁に交換が必要となってコストがかかるという欠点を有している。
【先行技術文献】
【特許文献】
【００１１】
【特許文献１】実用新案登録第３１７０２６２号公報
【特許文献２】特開２０１４−１００２６３号公報
【発明の概要】
【発明が解決しようとする課題】
【００１２】
したがって、本発明の課題は、安全性に優れ、長期間使用できる伸縮自在なランヤードを提供することにある。
【課題を解決するための手段】
【００１３】
上記課題を解決するため、本発明は、高所作業用安全帯のランヤードであって、ストラップと、前記ストラップの基端に取り付けられた、前記高所作業用安全帯の胴ベルトへの連結のための連結金具と、前記ストラップの先端に取り付けられた、固定用構造物への係止のためのフックと、を備えたものにおいて、前記ストラップは、長尺の弾性部材と、前記弾性部材の片面または両面側に配置された長尺の補助ベルトと、筒状をなし、前記弾性部材および前記補助ベルトの全体を被覆する被覆部材と、を有し、前記補助ベルトは作業者墜落時の衝撃荷重に耐えうる強度を有し、前記補助ベルトの長さは前記弾性部材の自然長よりも長く、前記被覆部材は前記補助ベルトと等しいかまたはそれ以上の長さを有し、前記弾性部材が前記補助ベルトの長さまで伸張した状態で、前記弾性部材および前記補助ベルトおよび前記被覆部材のそれぞれの一端が、互いに接合されるとともに前記連結金具に連結され、前記弾性部材および前記補助ベルトおよび前記被覆部材のそれぞれの他端が、互いに接合されるとともに前記フックに連結され、それによって、前記ストラップは、前記弾性部材が自然長となるとともに、前記補助ベルトが波打った状態となる位置と、前記弾性部材が、前記補助ベルトが緊張状態となるまで伸びる位置との間で伸縮するものであることを特徴とするランヤードを構成したものである。
【００１４】
上記構成において、前記弾性部材が、長さ方向に伸縮自在なベルト状織物またはゴムベルトであることが好ましい。
また、前記補助ベルトが、高強度の合成繊維糸によって製織された長尺の平織物からなり、前記被覆部材が、高強度の合成繊維糸によって製織された長尺の平袋織物からなっていることが好ましい。
【発明の効果】
【００１５】
本発明によれば、ランヤードのストラップは、弾性部材が自然長となるとともに、前記被覆部材が蛇腹状をなしかつ前記補助ベルトが波打った状態となる位置と、弾性部材が、補助ベルトが緊張状態となるまで（被覆部材が補助ベルトと等しい長さの場合には、補助ベルトおよび被覆部材が緊張状態となるまで）伸びる位置との間で伸縮する。
そして、万一作業者が墜落した場合には、ランヤードのストラップが最大長まで伸張し、作業者は、補助ベルトによって（被覆部材が補助ベルトと等しい長さの場合には、補助ベルトおよび被覆部材によって）固定用構造物から吊下げ状態に支持される。
この場合、補助ベルト単独で作業者墜落時の衝撃荷重に耐えうる強度を有しており、被覆部材が補助ベルトと同時に緊張状態となる場合には、被覆部材の寄与によって作業者墜落時のストラップの強度がさらに増大する。
【００１６】
また本発明によれば、弾性部材および補助ベルトの全体が被覆部材によって被覆され、弾性部材および補助ベルトが摩耗や紫外線による劣化等から保護される。
すなわち、被覆部材は主として保護手段として機能し、被覆部材の作業者墜落時の支持手段としての機能は付随的であるから、被覆部材が摩耗および劣化等しても、作業者墜落時のランヤードの強度に問題は生じない。
【００１７】
そして、被覆部材の摩耗および劣化等が一定程度進んだ時点でランヤードを交換することで、常に安全性を確保した状態でランヤードを長期間使用でき、ランヤードの交換回数も従来より格段に減る。
【図面の簡単な説明】
【００１８】
【図１】本発明の第１の実施例による高所作業用安全帯のランヤードが収縮したときの全体構成を示す平面図であり、（Ａ）は一方向から見た図であり、（Ｂ）は（Ａ）のランヤードをその軸まわりに９０°回転した状態を示す図である。なお、図中、ストラップの内部構造を明瞭にするため、被覆部材を透明な部材として描いてある。
【図２】図１のランヤードが最大長まで伸張したときの全体構成を示す図１に類似の図である。
【図３】図１のランヤードの内部構造を示す斜視図である。
【発明を実施するための形態】
【００１９】
以下、添付図面を参照しつつ本発明の好ましい実施例を説明する。
図１は、本発明の第１の実施例による高所作業用安全帯のランヤードが収縮したときの全体構成を示す平面図であり、（Ａ）は一方向から見た図であり、（Ｂ）は（Ａ）のランヤードをその軸まわりに９０°回転した状態を示す図である。また図２は、図１のランヤードが最大長まで伸張したときの全体構成を示す図１に類似の図である。図１および図２中、ストラップの内部構造を明瞭にするため、被覆部材を透明な部材として描いてある。
【００２０】
図１〜図３を参照して、本発明による高所作業用安全帯のランヤードは、ストラップ１と、ストラップ１の基端１ａにショックアブソーバー４を介して取り付けられた、高所作業用安全帯の胴ベルト（図示はしない）への連結のための連結金具２と、ストラップ１の先端１ｂに取り付けられた、固定用構造物（図示はしない）への係止のためのフック３とを備えている。
【００２１】
連結金具２は、この実施例では、平板状をなし、胴ベルト挿通用の長穴２ａを有し、胴ベルトに直接連結する構成となっている。連結金具２は、また丸穴２ｂを有し、丸穴２ｂには、ショックアブソーバー４の一方の連結環４ａが連結されている。
ランヤードの連結金具２の構成はこの実施例に限定されず、例えば、胴ベルトのＤ環に連結する形式のランヤードの場合には、連結金具２としてフックやカラビナ等が使用される。
【００２２】
この実施例では、ストラップ１の基端１ａと連結金具２との間にショックアブソーバー４が配置されるが、ショックアブソーバー４は必要に応じて備えられ、本発明の必須構成要素ではない。また、ショックアブソーバー４をストラップ１の先端１ｂおよびフック３間に配置することもできる。
【００２３】
本発明によれば、ランヤードのストラップ１は、長尺の弾性部材５を有している。弾性部材５は、この実施例では、長さ方向に伸縮自在な扁平なベルト状織物または平ゴムベルトからなっているが、弾性部材５の構成はこれに限定されるものではない。
【００２４】
ストラップ１は、また、弾性部材５の両面側に配置された各１本の長尺の補助ベルト６を有している。
補助ベルト６は、この実施例では、高強度の合成繊維糸（例えば、ナイロン糸やポリエステル糸等）によって製織された長尺の平織物からなっており、作業者墜落時の衝撃荷重に耐えうる強度を有している。また、補助ベルトは弾性部材５の自然長よりも長くなっている。
【００２５】
なお、この実施例では、弾性部材５の両面側に補助ベルト６を配置したが、弾性部材５の片面側にのみ補助ベルト６を配置する構成としてもよい。この場合には、１本の補助ベルト６で、作業者墜落時の衝撃荷重に耐える強度を有していることは言うまでもない。
【００２６】
ストラップ１は、さらに、筒状をなし、弾性部材５および補助ベルト６の全体を被覆する被覆部材７を有している。
被覆部材７は、この実施例では、高強度の合成繊維糸（例えば、ナイロン糸やポリエステル糸等）によって製織された長尺の平袋織物からなっている。
【００２７】
被覆部材７は、補助ベルト６と等しいかまたはそれ以上の長さ（この実施例では、補助ベルト６と等しい長さ）を有している。そして、弾性部材５が補助ベルト６の長さまで伸張した状態で、弾性部材５および補助ベルト６および被覆部材７のそれぞれの一端が、互いに接合されるとともに連結環４ｂに連結され、弾性部材５および補助ベルト６および被覆部材７のそれぞれの他端が互いに接合されるとともに、フック３に連結される。
【００２８】
この実施例では、弾性部材５、補助ベルト６および被覆部材７のそれぞれの一端の相互接合および連結環状４ｂへの連結は、弾性部材５、補助ベルト６および被覆部材７の一端同士を重ね合せた状態で、連結環４ｂに通して折り返し、折り返した部分を弾性部材５、補助ベルト６および被覆部材７の重なり合った本体部に重ね合わせて縫製することによってなされる。また、弾性部材５、補助ベルト６および被覆部材７のそれぞれの他端の相互接合およびフックは、弾性部材５、補助ベルト６および被覆部材７の他端同士を重ね合せた状態で、フック３の連結用開口に通して折り返し、折り返した部分を弾性部材５、補助ベルト６および被覆部材７の重なり合った本体部に重ね合わせて縫製することによってなされる。
【００２９】
こうして、弾性部材５が自然長のとき、被覆部材７が蛇腹状をなすとともに、補助ベルト６は被覆部材７の内部で波打った状態となる。
【００３０】
上記構成によって、ランヤードのストラップ１は、弾性部材５が自然長となる位置と、弾性部材５が、補助ベルト６および被覆部材７が緊張状態となるまで伸びる位置との間で伸縮する。
そして、万一作業者が墜落した場合には、ランヤードのストラップ１が最大長まで伸張し、作業者は、補助ベルト６および被覆部材７によって安全かつ確実に固定用構造物から吊下げ状態に支持される。
また、弾性部材５および補助ベルト６の全体が被覆部材７によって被覆され、弾性部材５および補助ベルト６が摩耗や紫外線による劣化等から保護される。
【００３１】
本発明によれば、被覆部材７は主として保護手段として機能し、作業者墜落時の支持手段としては付随的に機能するだけなので、被覆部材７が摩耗および劣化等しても、作業者墜落時のランヤードの強度に問題は生じない。
【００３２】
そして、被覆部材７の摩耗および劣化等が一定程度進んだ時点でランヤードを交換することで、常に安全性を確保した状態でランヤードを長期間使用でき、ランヤードの交換回数も従来より格段に減る。
【符号の説明】
【００３３】
１  ストラップ
１ａ  基端
１ｂ  先端
２  連結金具
２ａ  長穴
２ｂ  丸穴
３  フック
４  ショックアブソーバー
４ａ、４ｂ  連結環
５  弾性部材
６  補助ベルト
７  被覆部材
【図１】
0006498171.tif 000002
【図２】
0006498171.tif 000003
【図３】
0006498171.tif 000004